(57)【特許請求の範囲】
【請求項１】
左右１対の中空な支柱の前面に商品陳列部を形成してなる商品陳列棚において、前記支柱の下部前方に、前面が開閉可能な箱型ストッカーを配置するとともに、該箱型ストッカーの背面と前記支柱の前面とに１対の貫通孔を穿設し、弾性湾曲するほぼＶ字形の係着具本体と、この係着具本体の各腕の先端に形成された１対の係着部とからなる係着具における前記両係着部を、前記箱型ストッカーの内側から、前記背面の貫通孔を介して、支柱前面の貫通孔に差し入れ、前記係着具本体の弾性変形の戻りにより、前記１対の係着部を前記両貫通孔の縁部に着脱可能に係止することにより、前記支柱の前面に前記箱型ストッカーを固定したことを特徴とする商品陳列棚。
【請求項２】
箱型ストッカーの前面に、施錠可能な扉を設けた請求項１記載の商品陳列棚。
【請求項３】
支柱における貫通孔が、棚板取付用に支柱前面に列設された係止孔である請求項１または２記載の商品陳列棚。
【請求項４】
係着具の両腕における係着部が、それぞれ、上下の貫通孔に弾性的に係止されるようにした請求項１〜３のいずれか１項に記載の商品陳列棚。
【請求項５】
係着具の上の腕の係着部が上の貫通孔の上縁に、また下の腕の係着部が下の貫通孔の下縁に、それぞれ弾性的に係止されるようにした請求項４記載の商品陳列棚。
【請求項６】
係着具の上の腕の係着部が上の貫通孔の下縁に、また下の腕の係着部が下の貫通孔の上縁に、それぞれ弾性的に係止されるようにした請求項４記載の商品陳列棚。
【請求項７】
係着部が、係着具本体と直交して折り曲げられている請求項１〜６のいずれか１項に記載の商品陳列棚。
【請求項８】
係着具が、係着具本体において両腕の一部が互いに当接する当接部分を有する請求項５記載の商品陳列棚。
【発明の詳細な説明】
【０００１】
【発明の属する技術分野】
本発明は、商品陳列棚、特にドラッグストアにおける毒物、劇薬などの保管庫となる箱型ストッカーを有する商品陳列棚に関する。
【０００２】
【従来の技術】
従来、図６に示すように商品陳列棚(Ａ)に箱型ストッカー(１)を取り付ける場合には、単にベース脚(２)上に載置するか、箱型ストッカー(１)の後部に爪片を設け、これを支柱(３)前面の係止孔に引っかけて載置したりしている。
さらに確実に取り付ける場合には、実公平5-40773号公報に記載のように、箱型ストッカー内部から支柱へのボルト固定を図っている。
【０００３】
【発明が解決しようとする課題】
しかし、前者の場合には、箱型ストッカーが外れやすく不具合であり、特に、ドラッグストアにおいて箱型ストッカーに収納する商品が毒物や劇薬等であり、その盗難防止を図る場合には、たとえストッカーの扉に鍵を掛けたとしても、ストッカーごと盗まれることを充分考慮しておかなければならないので、充分でない。
後者では、箱型ストッカー内部からボルト固定されるので、箱型ストッカーごと外されるおそれはないが、固定箇所が箱型ストッカーの隅部であるため、ボルト締めの作業がしづらいという欠点がある。
【０００４】
本発明は、上述の問題に鑑み、商品陳列棚の箱型ストッカーを支柱に強固に、かつ簡単に取り付けうるようにすることを第１の目的とするとともに、盗難防止のため、箱型ストッカーを、その内部からでなければ取り外しができないようにすることを第２の目的としている。
【０００５】
【課題を解決するための手段】
本発明によると、上記課題は、次のようにして解決される。
(１) 左右１対の中空な支柱の前面に商品陳列部を形成してなる商品陳列棚において、前記支柱の下部前方に、前面が開閉可能な箱型ストッカーを配置するとともに、該箱型ストッカーの背面と前記支柱の前面とに１対の貫通孔を穿設し、弾性湾曲するほぼＶ字形の係着具本体と、この係着具本体の各腕の先端に形成された１対の係着部とからなる係着具における前記両係着部を、前記箱型ストッカーの内側から、前記背面の貫通孔を介して、支柱前面の貫通孔に差し入れ、前記係着具本体の弾性変形の戻りにより、前記１対の係着部を前記両貫通孔の縁部に着脱可能に係止することにより、前記支柱の前面に前記箱型ストッカーを固定する。
【０００６】
(２) 上記(１)項において、箱型ストッカーの前面に、施錠可能な扉を設ける。
【０００７】
(３) 上記(１)または(２)項において、支柱における貫通孔が、棚板取付用に支柱前面に列設された係止孔とする。
【０００８】
(４) 上記(１)〜(３)項のいずれか(１)項において、係着具の両腕における係着部が、それぞれ、上下の貫通孔に弾性的に係止されるようにする。
【０００９】
(５) 上記(４)項において、係着具の上の腕の係着部が上の貫通孔の上縁に、また下の腕の係着部が下の貫通孔の下縁に、それぞれ弾性的に係止されるようにする。
【００１０】
(６) 上記(４)項において、係着具の上の腕の係着部が上の貫通孔の下縁に、また下の腕の係着部が下の貫通孔の上縁に、それぞれ弾性的に係止されるようにする。
【００１１】
(７) 上記(１)〜(６)項のいずれか(１)項において、係着部が、係着具本体と直交して折り曲げられたものとする。
【００１２】
(８) 上記(５)項において、係着具が、係着具本体において両腕の一部が互いに当接する当接部分を有するものとする。
【００１３】
【発明の実施の形態】
図１〜図３は、本発明の１実施形態を示す。
図１に示すように、施錠可能な扉付きの箱型ストッカー(１)は、その背面を左右１対の支柱(３)(３)の前面に当接させて支柱(３)の下端から前方に延びるベース脚(２)上に載置されている。
【００１４】
箱型ストッカー(１)の左右側部の前端近くに下方に突出して設けた爪片(４)は、ベース脚(２)の上面に穿設した係合孔(５)に差し込まれ、箱型ストッカー(１)を位置決めし、かつ係止している。
【００１５】
箱型ストッカー(１)の背面(６)の左右端部には、その上端近くの位置に、上下に並ぶスリット状の貫通孔(７)(７)が穿設されている。貫通孔(７)は、鋼製の中空な支柱(３)の前面に棚板取付用に列設された係止孔(８)と同一形状同一間隔であり、箱型ストッカー(１)の取り付け高さ位置において、丁度整合する位置に設けられている。
【００１６】
図３に詳細に示すように、整合した貫通孔(７)と係止孔(８)に係着具(９)を取り付けて、後述するように箱型ストッカー(１)を支柱(３)に固定する。
【００１７】
係着具(９)は、鋼線を折り曲げて形成したもので、図２に示すように、弾性湾曲するほぼＶ字形の係着具本体(10)と、この係着本体(10)のＶ字の各腕(10a)の先端に形成された１対の係着部(11)とからなる。
【００１８】
両係着部(11)は、係着具本体(10)から直角に曲げられ、そこからそれぞれ外開きの半円弧を上下方向に形成されている。この半円弧の上下方向の幅は、貫通孔(７)と係止孔(８)を通る程度の幅とされている。
【００１９】
係着具本体(10)のＶ字の両腕(10a)の先端の開きの程度は、上下に並ぶ２つの貫通孔(７)(７)の長さを充分に越える長さとしてある。
【００２０】
係着具(９)の取り付けに当たっては、図３に矢印により示すように、係着具本体(10)の両腕(10a)を外側からつまみ、Ｖ字の形状を弾性的に窄める。
【００２１】
この状態で両係着部(11)(11)を、上下に並ぶ貫通孔(７)(７)及び係止孔(８)(８)に差し入れて、手を離すと、係着具本体(10)の弾性変形の戻りにより両係着部(11)(11)は、両貫通孔(７)(７)及びこれらに整合する両係止孔(８)(８)の上下外縁部に係止され、箱型ストッカー(１)の背面は、支柱(３)の前面に当接して固定される。
【００２２】
図４に示す第１の変形例では、係着具(12)は、上述の係着具(９)の係着具本体(10)とは逆向きのＶ字形をなす係着具本体(13)を有し、その腕(13a)(13a)の先端に形成した係着部(14)(14)は、互いに内向きに直角に曲げられている。
【００２３】
両腕(13a)(13a)の先端間の間隔は、上下に並ぶ貫通孔(７)(７)間の間隔部分より短く設定されており、矢印に示すように、係着具(12)の弾性に抗して、この間隔を開いた状態で、係着具(12)を貫通孔(７)(７)及び係止孔(８)(８)の上下内縁部に係止して、箱形ストッカー(１)を支柱(３)に固定する。
【００２４】
図５に示す第２の変形例である係着具(15)は、偏平の鋼片を折り曲げて形成したもので、係着部本体(16)の両腕(16a)(16a)の先端に設けた外開きの係着部(17)(17)は、係着具本体(16)と同一平面にある。また、両腕(16a)(16a)の中間部は、互いに内方に近接し、互いに当接する当接部分(18)(18)を形成している。
この係着具(15)は、矢印に示すように、その当接部分(18)(18)を互いに左右方向にずらせてから、両腕(16a)の先端部を互いに弾性的に縮めることができる。
【００２５】
【発明の効果】
本発明によれば、次のような効果を奏する。
請求項１記載の発明によれば、ねじ止めのような面倒な作業を必要とせず、係着具を窄めて挿入し手を離すというワンタッチの作業で、簡単に箱型ストッカーを支柱に固定することができる。
【００２６】
請求項２記載の発明によれば、箱型ストッカーは、その内部から支柱前面に固定されているので、箱型ストッカーの外部から、係着具の支柱への係着を解くことはできない。そのため扉を施錠された箱型ストッカーごと支柱から外して盗むことは困難となる。
【００２７】
請求項３記載の発明によれば、箱型ストッカー固定用の特別の貫通孔を支柱に設ける必要がない。
【００２８】
請求項４記載の発明によれば、係止具の係止点が分散されるので、箱型ストッカーを支柱に密着して係止することができる。
【００２９】
請求項５記載の発明によれば、係着具の２つの係止点が比較的距離が開くので、箱型ストッカーを、さらに安定して支柱に密着係止することができる。
【００３０】
請求項６記載の発明によれば、係着具の両腕の間隔が狭いので、支柱の脇からこれをこじって外すことが難しくなる。
【００３１】
請求項７記載の発明によれば、係着具が箱型ストッカー内部に突出せずに、その背面に沿うようになるので、収納品の邪魔にならない。
【００３２】
請求項８記載の発明によれば、支柱の脇から係着具本体をこじっても、当接部分が互いに当たっているので弾性変形できず、係着具を抜くことが全く不可能となる。そのため確実な盗難防止が図れる。
【図面の簡単な説明】
【図１】  本発明の１実施形態を一部破断して示した斜視図である。
【図２】  図１の実施形態における係着具の拡大斜視図である。
【図３】  係着具の取り付けを説明する支柱と箱型ストッカーの一部分の拡大斜視図である。
【図４】  変形例を示す、図３と同様な拡大斜視図である。
【図５】  係着具の変形例を示す拡大斜視図である。
【図６】  箱型ストッカーを備えた商品陳列棚の斜視図である。
【符号の説明】
(Ａ)商品陳列棚
(１)箱型ストッカー
(２)ベース脚
(３)支柱
(４)爪片
(５)係合孔
(６)背面
(７)貫通孔
(８)係止孔（貫通孔）
(９)係着具
(10)係着具本体
(10a)腕
(11)係着部
(12)係着具
(13)係着具本体
(13a)腕
(14)係着部
(15)係着具
(16)係着具本体
(16a)腕
(17)係着部
(18)当接部分
【図１】
0004520563.tif 000002
【図２】
0004520563.tif 000003
【図３】
0004520563.tif 000004
【図４】
0004520563.tif 000005
【図５】
0004520563.tif 000006
【図６】
0004520563.tif 000007